(57)【特許請求の範囲】
【請求項１】
用紙に複数のパッチを形成する画像形成システムであって、
前記複数のパッチを測色する測色計に対向して前記用紙が前記用紙の搬送方向に搬送される際に予想される前記用紙の温度分布であって、前記用紙の搬送方向と直交する直交方向で前記用紙の中央部に近づくに従い温度が高くなる予想温度分布と、前記複数のパッチが受ける温度が高くなるにつれ影響が大きくなるサーモクロミズム現象の影響度合いと、に基づき設定された配置で、前記用紙上に前記複数のパッチを形成させるための指令を行うパッチ形成指令部と、
前記パッチ形成指令部の指令により形成された前記複数のパッチの少なくとも一部のパッチの温度と、前記予想温度分布に基づく前記複数のパッチの温度変化に対応する色彩値の差異を示す色差と、測色したパッチの色彩値とに基づき、前記複数のパッチの色彩値を補正する温度補正部と、
を備えた、画像形成システム。
【請求項２】
前記予想温度分布と、前記サーモクロミズム現象の影響度合いと、に基づき、前記パッチの配置を決定する決定部を備え、
前記パッチ形成指令部は、前記決定部により決定された前記パッチの配置に基づき、前記用紙上に前記複数のパッチを形成させる指令を生成する、
請求項１に記載の画像形成システム。
【請求項３】
前記用紙の紙種に基づき、パッチ列ごとの温度を予測する、
請求項１又は請求項２に記載の画像形成システム。
【請求項４】
前記測色計は、前記用紙の搬送方向に沿って前記複数のパッチを測色して前記複数のパッチの色の色彩値を求めるとともに、
さらに前記画像形成システムは、
前記用紙が搬送されるにつれ、前記用紙の搬送方向と直交する直交方向に沿って、前記用紙に形成された前記複数のパッチの色を読み取るスキャナーと、
前記複数のパッチの温度を検知する温度計と、
前記温度補正部により補正された色彩値に基づき、前記複数のパッチの前記スキャナーによる色の読取値を補正する指令を生成する画像補正部と、
を備える請求項１に記載の画像形成システム。
【請求項５】
用紙に複数のパッチを形成する画像形成システムであって、
前記用紙の搬送方向と直交する直交方向に沿って、前記用紙の端部から中央部に近づくほど各パッチが受ける、サーモクロミズム現象の影響度合いが大きくなる配置で、前記用紙上に前記複数のパッチを形成させるための指令を行うパッチ形成指令部と、
前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、
を備えた、画像形成システム。
【請求項６】
用紙に複数のパッチを形成する画像形成システムであって、
前記用紙の搬送方向と直交する直交方向に沿って、前記用紙の端部から中央部に近づくほどマゼンタ系の色を含むパッチが配置されるよう、前記用紙上に前記複数のパッチを形成させるための指令を行うパッチ形成指令部と、
前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、
を備えた、画像形成システム。
【請求項７】
前記用紙が搬送されるにつれ、前記用紙の搬送方向と直交する直交方向に沿って、前記用紙に形成された前記複数のパッチの色を読み取るスキャナーと、
前記用紙の搬送方向に沿って前記複数のパッチを測色して前記複数のパッチの色の色彩値を求める測色計と、
前記複数のパッチの温度を検知する温度計と、
前記温度補正部により補正された色彩値に基づき、前記複数のパッチの前記スキャナーによる色の読取値を補正する指令を生成する画像補正部と、
を備える、請求項５または６に記載の画像形成システム。
【請求項８】
用紙に複数のパッチを形成する画像形成システムであって、
前記用紙の搬送方向と直交する直交方向の一部に配置された温度計と、
前記直交方向に沿って、前記温度計の下方を通過するパッチに近いほど、サーモクロミズム現象の影響度合いが大きくなるように設定された配置で、前記用紙上に前記複数のパッチを形成するための指令を行うパッチ形成指令部と、
前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、
を備えた、画像形成システム。
【請求項９】
前記用紙が搬送されるにつれ、前記直交方向に沿って、前記用紙に形成された前記複数のパッチの色を読み取るスキャナーと、
前記用紙の搬送方向に沿って前記複数のパッチを測色して前記複数のパッチの色の色彩値を求める測色計と、
前記温度補正部により補正された色彩値に基づき、前記複数のパッチの前記スキャナーによる色の読取値を補正する指令を生成する画像補正部と、
を備える、
請求項８に記載の画像形成システム。
【請求項１０】
前記温度計は、前記直交方向において前記用紙の前記中央部に配置されている、
請求項４、７、８の何れか一項に記載の画像形成システム。
【請求項１１】
前記温度計は、前記直交方向において前記用紙の中央部と異なる位置に配置されている、
請求項４、７、８の何れか一項に記載の画像形成システム。
【請求項１２】
前記温度計は放射温度計である、
請求項４、７、８の何れか一項に記載の画像形成システム。
【請求項１３】
前記パッチ形成指令部により生成された指令に基づき、前記用紙に前記複数のパッチを形成する画像形成部と、
前記画像形成部により前記用紙に形成された前記複数のパッチの色を読み取る画像読取部と、
をさらに備え、
前記画像形成部は、
前記用紙の搬送方向に沿って、前記用紙の予想温度分布に基づく前記複数のパッチが含まれるパッチ列を複数形成し、
前記パッチ列のそれぞれは、
前記直交方向に沿って隣り合うものである、
請求項４、７、８の何れか一項に記載の画像形成システム。
【請求項１４】
前記画像形成部は、
前記温度計の下方を通過する前記パッチ列に近いものであるにつれ、前記サーモクロミズム現象の影響度合いが大きくなる前記パッチを含んだ前記パッチ列を形成する、
請求項１３に記載の画像形成システム。
【請求項１５】
前記パッチ形成指令部は、
前記温度計の下方を通過する前記パッチ列に近いものであるにつれ、前記サーモクロミズム現象の影響度合いが大きくなる前記パッチを多く含ませる、
請求項１４に記載の画像形成システム。
【請求項１６】
前記パッチ形成指令部は、
前記温度計の下方を通過する前記パッチ列を中心として、前記直交方向に沿って、同一の前記サーモクロミズム現象の影響度合いとなる前記パッチを含む前記パッチ列を対称に配置させる、
請求項１４に記載の画像形成システム。
【請求項１７】
前記画像読取部は、
前記スキャナーの上流側に設けられ、前記用紙が搬送される際、前記用紙の先頭側と、前記用紙の後端側とを入れ替え自在な入替部をさらに備え、
前記パッチ形成指令部は、
前記入替部により、前記用紙の先頭側と、前記用紙の後端側とが入れ替えられる場合、前記パッチ列には、前記画像形成部から搬送される前記用紙の先頭側に近いものであるにつれ、前記サーモクロミズム現象の影響度合いが大きくなる前記パッチを含ませる、
請求項１３〜１６の何れか一項に記載の画像形成システム。
【請求項１８】
用紙に複数のパッチを形成可能な画像形成システムに用いられるコンピュータによって実行されるプログラムであって、
前記複数のパッチを測色する測色計に対向して前記用紙が前記用紙の搬送方向に搬送される際に予想される前記用紙の温度分布であって、前記用紙の搬送方向と直交する直交方向で前記用紙の中央部に近づくに従い温度が高くなる予想温度分布と、前記複数のパッチが受ける、温度が高くなるにつれ影響が大きくなるサーモクロミズム現象の影響度合いと、に基づき設定された配置で、前記用紙上に前記複数のパッチを形成させるための指令を行うパッチ形成指令ステップと、
前記パッチ形成指令ステップの指令により形成された前記複数のパッチの少なくとも一部のパッチの温度と、前記予想温度分布に基づく前記複数のパッチの温度変化に対応する色彩値の差異を示す色差と、測色したパッチの色彩値とに基づき、前記複数のパッチの色彩値を補正する温度補正ステップと、
をコンピュータに実行させるプログラム。
【請求項１９】
用紙に複数のパッチを形成可能な画像形成システムに用いられるコンピュータによって実行されるプログラムであって、
前記用紙の搬送方向と直交する直交方向に沿って、前記用紙の端部から中央部に近づくほど各パッチが受ける、サーモクロミズム現象の影響度合いが大きくなる配置で、前記用紙上に前記複数のパッチを形成させるための指令を行うパッチ形成指令ステップと、
前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、
をコンピュータに実行させるプログラム。
【請求項２０】
用紙に複数のパッチを形成可能な画像形成システムに用いられるコンピュータによって実行されるプログラムであって、
前記用紙の搬送方向と直交する直交方向に沿って、前記用紙の端部から中央部に近づくほどマゼンタ系の色を含むパッチが配置されるよう、前記用紙上に前記複数のパッチを形成させるための指令を行うパッチ形成指令ステップと、
前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、
をコンピュータに実行させるプログラム。
【請求項２１】
用紙に複数のパッチを形成可能な画像形成システムに用いられるコンピュータによって実行されるプログラムであって、
前記用紙の搬送方向と直交する直交方向の一部に配置された温度計の下方を通過するパッチに前記直交方向で近いほど、サーモクロミズム現象の影響度合いが大きくなるように設定された配置で、前記用紙上に前記複数のパッチを形成するための指令を行うパッチ形成指令ステップと、
前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、
をコンピュータに実行させるプログラム。
【発明の詳細な説明】
【技術分野】
【０００１】
本発明は、画像形成システム及びプログラムに関する。
【背景技術】
【０００２】
従来、用紙に形成されたパッチを測色する際、サーモクロミズム現象の影響を受けることが知られている。サーモクロミズム現象は、パッチの色彩を形成する着色物体が温度に応じて変化し、パッチの色彩が変化するものである。よって、用紙に形成されたパッチが測色される場合、用紙の温度によっては、温度に応じた誤差が測色結果に含まれることがある。
【０００３】
そこで、パッチの測色値と、パッチが測色されるときの温度とに基づき、基準色値と、温度に応じた基準色値の変化量との対応を含むテーブルを参照し、測色値を補正するものが提案されている（例えば、特許文献１参照）。
【０００４】
また、記録媒体上の印刷位置に印刷するパッチにつき、記録媒体の紙白温度に対するパッチの相対温度値を予め求め、測定した用紙の紙白温度と、その温度相対値とに基づき、測色値を補正するものが提案されている（例えば、特許文献２参照）。
【０００５】
また、パッチ載り量と、パッチがカラーセンサ位置を通過するときの推定温度とに基づき測色値を補正するものが提案されている（例えば、特許文献３参照）。
【０００６】
また、用紙の搬送方向に沿ったパッチにつき、サーモクロミズム現象の影響が大きいものであるほど、定着位置から測色位置に至るまでの時間が長くなるように、配置位置を設定するものが提案されている（例えば、特許文献４参照）。
【先行技術文献】
【特許文献】
【０００７】
【特許文献１】特開２０１０−０８８０５８号公報
【特許文献２】特開２０１１−０２７７２０号公報
【特許文献３】特表２０１２−５１４７３９号公報
【特許文献４】特開２０１３−０８０１２９号公報
【発明の概要】
【発明が解決しようとする課題】
【０００８】
しかし、スキャナーは、用紙の搬送方向と直交する直交方向に沿って、用紙に形成されたパッチを測色する。よって、直交方向に温度分布がある場合、サーモクロミズム現象の影響を受けるため、正確に測色することができない。
【０００９】
例えば、特許文献１に記載の従来技術においては、直交方向に沿って、温度センサをパッチごとに設ける必要がある。よって、システム全体としてコストが増大する。また、特許文献２に記載の従来技術においては、相対温度値は、記録媒体の紙白温度に対するパッチの温度として使用される。よって、相対温度値は、用紙の紙種又は紙白温度に応じて無数に存在するものとなるため、必要なデータは無数に存在し、精度がよいものではない。
【００１０】
また、特許文献３，４に記載の従来技術は、用紙の搬送方向と直交する直交方向に沿った用紙の温度分布に基づき、測色結果を補正するものではない。
【００１１】
したがって、特許文献１〜４に記載のような従来技術は、用紙全体にわたり、パッチの測色結果である色彩値を低コストで精度よく補正することができない恐れがある。
【００１２】
本発明は、従来の課題を解決するためになされたものであり、その目的とするところは、用紙全体にわたり、低コストで精度よくパッチの色彩値を補正することができる画像形成システム及びプログラムを提供することにある。
【課題を解決するための手段】
【００１３】
上記目的を達成するため、本発明に係る画像形成システムは、用紙に複数のパッチを形成する画像形成システムであって、前記複数のパッチを測色する測色計に対向して前記用紙が前記用紙の搬送方向に搬送される際に予想される前記用紙の温度分布であって、前記用紙の搬送方向と直交する直交方向で前記用紙の中央部に近づくに従い温度が高くなる予想温度分布と、前記複数のパッチが受ける温度が高くなるにつれ影響が大きくなるサーモクロミズム現象の影響度合いと、に基づき設定された配置で、前記用紙上に前記複数のパッチを形成させるための指令を行うパッチ形成指令部と、前記パッチ形成指令部の指令により形成された前記複数のパッチの少なくとも一部のパッチの温度と、前記予想温度分布に基づく前記複数のパッチの温度変化に対応する色彩値の差異を示す色差と、測色したパッチの色彩値とに基づき、前記複数のパッチの色彩値を補正する温度補正部と、を備えたものである。
また、本発明に係る画像形成システムは、用紙に複数のパッチを形成する画像形成システムであって、前記用紙の搬送方向と直交する直交方向に沿って、前記用紙の端部から中央部に近づくほど各パッチが受ける、サーモクロミズム現象の影響度合いが大きくなる配置で、前記用紙上に前記複数のパッチを形成させるための指令を行うパッチ形成指令部と、前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、を備えたものである。
また、本発明に係る画像形成システムは、用紙に複数のパッチを形成する画像形成システムであって、前記用紙の搬送方向と直交する直交方向に沿って、前記用紙の端部から中央部に近づくほどマゼンタ系の色を含むパッチが配置されるよう、前記用紙上に前記複数のパッチを形成させるための指令を行うパッチ形成指令部と、前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、を備えたものである。
また、本発明に係る画像形成システムは、用紙に複数のパッチを形成する画像形成システムであって、前記用紙の搬送方向と直交する直交方向の一部に配置された温度計と、前記直交方向に沿って、前記温度計の下方を通過するパッチに近いほど、サーモクロミズム現象の影響度合いが大きくなるように設定された配置で、前記用紙上に前記複数のパッチを形成するための指令を行うパッチ形成指令部と、前記パッチ形成指令部の指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正部と、を備えたものである。
【００１５】
また、本発明に係る画像形成システムにおいて、前記測色計は、前記用紙の搬送方向に沿って前記複数のパッチを測色して前記複数のパッチの色の色彩値を求めるとともに、さらに前記画像形成システムは、前記用紙が搬送されるにつれ、前記用紙の搬送方向と直交する直交方向に沿って、前記用紙に形成された前記複数のパッチの色を読み取るスキャナーと、前記複数のパッチの温度を検知する温度計と、前記温度補正部により補正された色彩値に基づき、前記複数のパッチの前記スキャナーによる色の読取値を補正する指令を生成する画像補正部と、を備える、ことが好ましい。
【００１７】
また、本発明に係る画像形成システムにおいて、前記パッチ形成指令部により生成された指令に基づき、前記用紙に前記複数のパッチを形成する画像形成部と、前記画像形成部により前記用紙に形成された前記複数のパッチの色を読み取る画像読取部と、をさらに備え、前記画像形成部は、前記用紙の搬送方向に沿って、前記用紙の予想温度分布に基づく複数の前記パッチが含まれるパッチ列を複数形成し、前記パッチ列のそれぞれは、前記直交方向に沿って隣り合うものである、ことが好ましい。
【００１９】
また、本発明に係る画像形成システムにおいて、前記画像形成部は、前記温度計の下方を通過する前記パッチ列に近いものであるにつれ、前記サーモクロミズム現象の影響度合いが大きくなる前記パッチを含んだ前記パッチ列を形成する、ことが好ましい。
【００２０】
この画像形成システムによれば、放射温度計の下方を通過するパッチ列に近いものであればあるほど、サーモクロミズム現象の影響が大きいものとなるため、最もサーモクロミズム現象の影響を受ける色彩のパッチを含むパッチ列の温度を正確に検知することができ、全体として色差を抑えることができる。
【００２１】
また、本発明に係る画像形成システムにおいて、前記パッチ形成指令部は、前記温度計の下方を通過する前記パッチ列に近いものであるにつれ、前記サーモクロミズム現象の影響度合いが大きくなる前記パッチを多く含ませる、ことが好ましい。
【００２２】
この画像形成システムによれば、放射温度計の下方を通過するパッチ列に近いものであればあるほど、サーモクロミズム現象の影響が大きくなるパッチが多く含まれるものとなるため、サーモクロミズム現象の影響を受けるパッチの温度を正確に検知することができ、全体として色差を抑えることができる。
【００２３】
また、本発明に係る画像形成システムにおいて、前記パッチ形成指令部は、前記温度計の下方を通過する前記パッチ列を中心として、前記直交方向に沿って、同一の前記サーモクロミズム現象の影響度合いとなる前記パッチを含む前記パッチ列を対称に配置させる、ことが好ましい。
【００２４】
この画像形成システムによれば、放射温度計の下方を通過するパッチ列を中心として、用紙の搬送方向と直交する直交方向に沿って、同一のサーモクロミズム現象の影響度合いとなるパッチを含むパッチ列を対称に配置させることにより、放射温度計から離れた位置にあるパッチ列であっても、パッチの色彩値を精度よく補正することができ、全体として色差を抑えることができる。
【００２５】
また、本発明に係る画像形成システムにおいて、前記画像読取部は、前記スキャナーの上流側に設けられ、前記用紙が搬送される際、前記用紙の先頭側と、前記用紙の後端側とを入れ替え自在な入替部をさらに備え、前記パッチ形成指令部は、前記入替部により、前記用紙の先頭側と、前記用紙の後端側とが入れ替えられる場合、前記パッチ列には、前記画像形成部から搬送される前記用紙の先頭側に近いものであるにつれ、前記サーモクロミズム現象の影響度合いが大きくなる前記パッチを含ませる、ことが好ましい。
【００２６】
この画像形成システムによれば、用紙の先頭側に近いものであるにつれ、サーモクロミズム現象の影響度合いが大きくなるパッチを含ませるパッチ列を配置構成し、スキャナーの上流側に設けられた入替部により用紙の先頭側と後端側とを入れ替えることにより、サーモクロミズム現象の影響が大きいパッチであるにつれ、測色されるまでの時間を稼ぐことができるため、サーモクロミズム現象の影響が大きいパッチが測色されるときの温度を下げることができる。
【００２７】
また、本発明に係る画像形成システムにおいて、前記用紙の紙種に基づき、パッチ列ごとの温度を予測する、ことが好ましい。
【００２９】
また、上記目的を達成するため、本発明に係るプログラムは、用紙に複数のパッチを形成可能な画像形成システムに用いられるコンピュータによって実行されるプログラムであって、前記複数のパッチを測色する測色計に対向して前記用紙が前記用紙の搬送方向に搬送される際に予想される前記用紙の温度分布であって、前記用紙の搬送方向と直交する直交方向で前記用紙の中央部に近づくに従い温度が高くなる予想温度分布と、前記複数のパッチが受ける、温度が高くなるにつれ影響が大きくなるサーモクロミズム現象の影響度合いと、に基づき設定された配置で、前記用紙上に前記複数のパッチを形成させるための指令を行うパッチ形成指令ステップと、前記パッチ形成指令ステップの指令により形成された前記複数のパッチの少なくとも一部のパッチの温度と、前記予想温度分布に基づく前記複数のパッチの温度変化に対応する色彩値の差異を示す色差と、測色したパッチの色彩値とに基づき、前記複数のパッチの色彩値を補正する温度補正ステップと、をコンピュータに実行させるものである。
また、本発明に係る他のプログラムは、用紙に複数のパッチを形成可能な画像形成システムに用いられるコンピュータによって実行されるプログラムであって、前記用紙の搬送方向と直交する直交方向に沿って、前記用紙の端部から中央部に近づくほど各パッチが受ける、サーモクロミズム現象の影響度合いが大きくなる配置で、前記用紙上に前記複数のパッチを形成させるための指令を行うパッチ形成指令ステップと、前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、をコンピュータに実行させるものである。
また、本発明に係る他のプログラムは、用紙に複数のパッチを形成可能な画像形成システムに用いられるコンピュータによって実行されるプログラムであって、前記用紙の搬送方向と直交する直交方向に沿って、前記用紙の端部から中央部に近づくほどマゼンタ系の色を含むパッチが配置されるよう、前記用紙上に前記複数のパッチを形成させるための指令を行うパッチ形成指令ステップと、前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、をコンピュータに実行させるものである。
また、本発明に係る他のプログラムは、用紙に複数のパッチを形成可能な画像形成システムに用いられるコンピュータによって実行されるプログラムであって、前記用紙の搬送方向と直交する直交方向の一部に配置された温度計の下方を通過するパッチに前記直交方向で近いほど、サーモクロミズム現象の影響度合いが大きくなるように設定された配置で、前記用紙上に前記複数のパッチを形成するための指令を行うパッチ形成指令ステップと、前記パッチ形成指令ステップの指令により形成された前記複数のパッチの少なくとも一部のパッチの温度と、前記直交方向で前記用紙の中央部に近づくに従い温度が高くなる予想温度分布に基づく前記複数のパッチの温度変化に対応する色彩値の差異を示す色差と、測色したパッチの色彩値とに基づき、前記複数のパッチの色彩値を補正する温度補正ステップと、をコンピュータに実行させるものである。
【００３０】
このプログラムによれば、画像形成システムの場合と同様に、用紙全体にわたり、低コストで精度よくパッチの色彩値を補正することができる。
【発明の効果】
【００３１】
本発明によれば、用紙の予測温度分布と、パッチが受けるサーモクロミズム現象の影響度合いと、に基づき、パッチの配置が決定されることにより、全体としてパッチの色差を抑制させるパッチの配置構成を形成させることができるため、用紙全体にわたり、低コストで精度よくパッチの色彩値を補正することができる。
【図面の簡単な説明】
【００３２】
【図１】本発明の実施形態１における画像形成システム１の全体構成の一例を示す図である。
【図２】本発明の実施形態１における画像形成装置５の構成例を示す図である。
【図３】本発明の実施形態１における画像読取装置７の構成例を示す図である。
【図４】本発明の実施形態１における制御部５１により実現される画像形成システム１の機能構成例を示す図である。
【図５】本発明の実施形態１における用紙Ｐの温度分布の一例を示す図である。
【図６】本発明の実施形態１におけるパッチ列１０２１と放射温度計７０７との位置関係の一例を示す図である。
【図７】本発明の実施形態１における制御例を説明するフローチャートである。
【図８】本発明の実施形態２におけるパッチ列１０２１に含まれるパッチの色差の一例を示す図である。
【図９】本発明の実施形態３におけるパッチ列１０２１と放射温度計７０７との位置関係の一例を示す図である。
【図１０】本発明の実施形態４における画像形成システム１の全体構成の一例を示す図である。
【図１１】本発明の実施形態４におけるパッチ列１０２１に含まれるパッチの色差の一例を示す図である。
【図１２】本発明の実施形態５における制御部５１により実現される画像形成システム１の機能構成例を示す図である。
【発明を実施するための形態】
【００３３】
以下、図面に基づいて本発明の実施形態を説明するが、本発明は以下の実施形態に限られるものではない。
【００３４】
実施形態１．
図１は、本発明の実施形態１における画像形成システム１の全体構成の一例を示す図である。図１に示すように、画像形成システム１は、給紙装置３、画像形成装置５、画像読取装置７、及び排紙装置８を備える。給紙装置３は、画像形成装置５に用紙Ｐを給紙する。画像形成装置５は、給紙装置３から給紙された用紙Ｐに画像を形成する。画像読取装置７は、画像形成装置５により画像が形成された用紙Ｐを読み取り、各種処理を実行する。排紙装置８は、排紙トレイ９を備え、画像読取装置７から搬送された用紙Ｐを排紙トレイ９に排出する。
【００３５】
図２は、本発明の実施形態１における画像形成装置５の構成例を示す図である。図２に示すように、画像形成装置５は、カラー複写機の一例である。画像形成装置５は、原稿Ｔに形成された色画像を読み取ることにより、画像情報を取得する。画像形成装置５は、取得した画像情報に基づいて色を重ね合わせることにより、色画像を形成する。画像形成装置５は、カラー複写機の外に、カラー用のプリンタ又はファクシミリ装置、これらの複合機等に適用して好適である。
【００３６】
画像形成装置５は、画像形成装置本体１１を備える。画像形成装置本体１１の上部には、カラー用の画像読取部１２及び自動原稿送り装置１４が配設される。画像形成装置本体１１は、詳細については後述するが、制御部４１、画像処理部４３、画像形成部６０、給紙部２０、及び搬送部３０を含む。
【００３７】
自動原稿送り装置１４は、画像読取部１２の上に設けられ、自動給紙モード時に、一枚又は複数枚の原稿Ｔを自動給紙する動作を行う。自動給紙モードとは、自動原稿送り装置１４に載置された原稿Ｔを給紙し、原稿Ｔに印刷された画像を読み取る動作である。
【００３８】
具体的には、自動原稿送り装置１４は、原稿載置部１４１、ローラー１４２ａ、ローラー１４２ｂ、ローラー１４３、ローラー１４４、反転部１４５、及び排紙皿１４６を備えている。原稿載置部１４１は、一枚又は複数枚の原稿Ｔが載置される。原稿載置部１４１の下流側には、ローラー１４２ａ及びローラー１４２ｂが設けられている。ローラー１４２ａ及びローラー１４２ｂの下流側には、ローラー１４３が設けられている。また、自動原稿送り装置１４は、ローラー１４３の外周側に、位置決め検知部８１を備えている。
【００３９】
自動給紙モードが選択された場合、原稿載置部１４１から繰り出された原稿Ｔは、ローラー１４３によりＵ字回転して搬送される。なお、原稿Ｔが原稿載置部１４１に載置され、自動給紙モードが選択される場合、原稿Ｔの記録面は上に向いた状態であることが好ましい。
【００４０】
また、原稿Ｔは、画像読取部１２で読み取られた後、ローラー１４４により搬送され、排紙皿１４６へ排紙される。なお、自動原稿送り装置１４は、反転部１４５に原稿Ｔを搬送することにより、原稿Ｔの記録面だけでなく、原稿Ｔの記録面の裏面側を画像読取部１２に読み取らせることができる。
【００４１】
位置決め検知部８１は、画像が印刷された原稿Ｔを検出する。位置決め検知部８１は、例えば、反射型フォトセンサにより実現される。位置決め検知部８１は、原稿Ｔが検知されると出力信号が立ち上がり、原稿Ｔが検知されなくなると出力信号が立ち下がり、その結果が制御部４１に送信される。つまり、原稿Ｔが位置決め検知部８１を通過している期間において、出力信号は一定値を維持する。
【００４２】
画像読取部１２は、原稿Ｔに形成された色画像、すなわち、原稿Ｔに印刷された色画像を読み取る動作をする。画像読取部１２は、一次元のイメージセンサー１２８が備えられている。また、画像読取部１２は、イメージセンサー１２８の他に、第１のプラテンガラス１２１、第２のプラテンガラス１２２、光源１２３、ミラー１２４，１２５，１２６、結像光学部１２７、及び不図示の光学駆動部を備えている。
【００４３】
光源１２３は、原稿Ｔに光を照射する。不図示の光学駆動部は、原稿Ｔ又はイメージセンサー１２８を副走査方向に相対的に移動させる。ここで、副走査方向とは、イメージセンサー１２８を構成する複数の受光素子の配置方向を主走査方向とした場合、主走査方向と直交する方向である。
【００４４】
原稿Ｔは自動原稿送り装置１４により搬送され、画像読取部１２の光学系により、原稿Ｔの片面又は両面の画像が走査露光される。画像読取動作を反映する入射光は、イメージセンサー１２８により読み込まれる。イメージセンサー１２８は、プラトンモード時であれば、原稿Ｔを読み取って得たＲＧＢ表色系の画像読取信号Ｓｏｕｔを出力する。プラトンモードとは、不図示の光学駆動部が駆動することにより、第１のプラテンガラス１２１及び第２のプラテンガラス１２２のようなプラテンガラス上に載置された原稿Ｔに印刷された画像を自動的に読み取る動作である。
【００４５】
イメージセンサー１２８は、３ラインカラーＣＣＤ撮像装置が使用される。イメージセンサー１２８は、複数の受光素子列が主走査方向に配置されて構成される。具体的には、赤（Ｒ）色、緑（Ｇ）色、及び青（Ｂ）色のそれぞれの光検出用の読取センサーは、主走査方向と直交する副走査方向の異なる位置で画素を分割し、Ｒ色、Ｇ色、及びＢ色のそれぞれの光情報を同時に読み取る。例えば、自動給紙モードの際、原稿Ｔがローラー１４３によりＵ字上に反転される場合、イメージセンサー１２８は、原稿Ｔの表面を読み取り、画像読取信号Ｓｏｕｔを出力する。
【００４６】
より具体的には、イメージセンサー１２８は、入射光を光電変換する。イメージセンサー１２８は、制御部４１を介して画像処理部４３に接続されている。イメージセンサー１２８により光電変換されたアナログの画像読取信号Ｓｏｕｔは、画像処理部４３において、アナログ処理、Ａ／Ｄ変換、シェーディング補正、画像圧縮処理、及び変倍処理等が実行される。画像読取信号Ｓｏｕｔは、Ｒ色成分、Ｇ色成分、及びＢ色成分を含むデジタルの画像データとなる。
【００４７】
画像処理部４３は、３次元色情報変換テーブルにより、その画像データ、すなわち、ＲＧＢコードを、Ｙ（イエロー）、Ｍ（マゼンタ）、Ｃ（シアン）、及びＫ（ブラック）色の画像データ、すなわち、Ｄｙ，Ｄｍ，Ｄｃ，Ｄｋに変換する。画像処理部４３は、変換後の画像データを、画像形成部６０に含まれるＬＥＤ書き込みユニット６１１Ｙ，６１１Ｍ，６１１Ｃ，６１１Ｋに転送する。
【００４８】
画像形成部６０は、電子写真プロセス技術を利用する。画像形成部６０は、中間転写方式のカラー画像を形成する。画像形成部６０は、縦型タンデム方式が採用されている。具体的には、画像形成部６０は、画像処理部４３から転送された画像データ、すなわち、Ｄｙ，Ｄｍ，Ｄｃ，Ｄｋに基づいて、色画像を形成する。画像形成部６０は、色ごとの画像形成ユニット６０１Ｙ，６０１Ｍ，６０１Ｃ，６０１Ｋと、中間転写部６２０と、トナー像を定着させる定着部６３０とを備えている。
【００４９】
画像形成ユニット６０１Ｙは、Ｙ（イエロー）色の画像を形成する。画像形成ユニット６０１Ｙは、感光ドラム６１３Ｙ、帯電部６１４Ｙ、ＬＥＤ書き込みユニット６１１Ｙ、現像部６１２Ｙ、及びクリーニング部６１６Ｙを備えている。
【００５０】
感光ドラム６１３Ｙは、Ｙ色のトナー像を形成する。帯電部６１４Ｙは、感光ドラム６１３Ｙの周囲に配置され、コロナ放電により感光ドラム６１３Ｙの表面を一様に負極性に帯電させる。ＬＥＤ書き込みユニット６１１Ｙは、感光ドラム６１３Ｙに対してＹ色成分の画像に対応する光を照射する。現像部６１２Ｙは、感光ドラム６１３Ｙの表面にＹ色成分のトナーを付着させることにより、静電潜像を可視化してトナー像を形成する。クリーニング部６１６Ｙは、一次転写後に感光ドラム６１３Ｙの表面に残存する転写残トナーを除去する。
【００５１】
画像形成ユニット６０１Ｍ，６０１Ｃ，６０１Ｋのそれぞれは、画像形成ユニット６０１Ｙと比べ、形成する画像の色が異なる以外は同様の構成及び機能であるため、その説明については省略する。
【００５２】
なお、画像形成ユニット６０１Ｙ，６０１Ｍ，６０１Ｃ，６０１Ｋを総称する場合、画像形成ユニット６０１と称する。また、ＬＥＤ書き込みユニット６１１Ｙ，６１１Ｍ，６１１Ｃ，６１１Ｋを総称する場合、ＬＥＤ書き込みユニット６１１と称する。また、現像部６１２Ｙ，６１２Ｍ，６１２Ｃ，６１２Ｋを総称する場合、現像部６１２と称する。また、感光ドラム６１３Ｙ，６１３Ｍ，６１３Ｃ，６１３Ｋを総称する場合、感光ドラム６１３と称する。また、帯電部６１４Ｙ，６１４Ｍ，６１４Ｃ，６１４Ｋを総称する場合、帯電部６１４と称する。また、クリーニング部６１６Ｙ，６１６Ｍ，６１６Ｃ，６１６Ｋを総称する場合、クリーニング部６１６と称する。
【００５３】
中間転写部６２０は、中間転写ベルト６２１、一次転写ローラー６２２Ｙ，６２２Ｍ，６２２Ｃ，６２２Ｋ、二次転写ローラー６２３、及びベルトクリーニング装置６２４等を備えている。
【００５４】
中間転写ベルト６２１は、無端状ベルトから構成され、複数の支持ローラーによりループ状に張架される。複数の支持ローラーのうち少なくとも１つのものは駆動ローラーで構成され、その他のものは従動ローラーで構成される。例えば、Ｋ成分用の一次転写ローラー６２２Ｋよりもベルト走行方向の下流側に配置される支持ローラーが駆動ローラーであることが好ましい。駆動ローラーが回転することにより、中間転写ベルト６２１は矢印Ｚ方向に一定速度で走行する。
【００５５】
一次転写ローラー６２２Ｙ，６２２Ｍ，６２２Ｃ，６２２Ｋは、各色成分の感光ドラム６１３に対向して、中間転写ベルト６２１の内周面側に配置される。中間転写ベルト６２１を挟んで、一次転写ローラー６２２Ｙ，６２２Ｍ，６２２Ｃ，６２２Ｋが感光ドラム６１３Ｙ，６１３Ｍ，６１３Ｃ，６１３Ｋに圧接される。このように圧接されることにより、感光ドラム６１３Ｙ，６１３Ｍ，６１３Ｃ，６１３Ｋから中間転写ベルト６２１にトナー像を転写するための一次転写ニップが形成される。
【００５６】
なお、一次転写ローラー６２２Ｙ，６２２Ｍ，６２２Ｃ，６２２Ｋを総称する場合、一次転写ローラー６２２と称する。
【００５７】
二次転写ローラー６２３は、複数の支持ローラーのうち１つのものに対向して、中間転写ベルト６２１の外周面側に配置される。中間転写ベルト６２１に対向して配置される支持ローラーは、バックアップローラーと呼ばれる。中間転写ベルト６２１を挟んで、二次転写ローラー６２３がバックアップローラーに圧接されることにより、中間転写ベルト６２１から用紙Ｐにトナー像を転写するための二次転写ニップが形成される。
【００５８】
一次転写ニップを中間転写ベルト６２１が通過する際、感光ドラム６１３上のトナー像は、中間転写ベルト６２１に順次重ねて一次転写される。具体的には、一次転写ローラー６２２に一次転写バイアスを印加し、中間転写ベルト６２１の裏面側、すなわち、一次転写ローラー６２２と当接する側にトナーと逆極性の電荷を付与することにより、トナー像は中間転写ベルト６２１に静電的に転写される。
【００５９】
トナー像が中間転写ベルト６２１に静電的に転写された場合、用紙Ｐが二次転写ニップを通過する際、中間転写ベルト６２１上のトナー像は用紙Ｐに二次転写される。具体的には、二次転写ローラー６２３に二次転写バイアスを印加し、用紙Ｐの裏面側、すなわち、二次転写ローラー６２３と当接する側にトナーと逆極性の電荷を付与することにより、トナー像は用紙Ｐに静電的に転写される。トナー像が転写された用紙Ｐは定着部６３０に向けて搬送される。
【００６０】
ベルトクリーニング装置６２４は、中間転写ベルト６２１の表面に摺接するベルトクリーニングブレード等を有する。ベルトクリーニング装置６２４は、二次転写後に中間転写ベルト６２１の表面に残留する転写残トナーを除去する。
【００６１】
なお、中間転写部６２０において、二次転写ローラー６２３に代えて、二次転写ローラー６２３を含む複数の支持ローラーに、不図示の二次転写ベルトがループ状に張架された構成、いわゆる、ベルト式の二次転写ユニットが採用されてもよい。
【００６２】
定着部６３０は、加熱ローラー６３１、加圧ローラー６３２、加熱部６３３、及び温度検知部８３を備え、画像形成部６０で転写されたトナー像を用紙Ｐに定着させる。
【００６３】
加熱部６３３は、加熱ローラー６３１の内部に設けられ、加熱ローラー６３１を間欠的に加熱する。加圧ローラー６３２は、加熱ローラー６３１と対向して配置され、加熱ローラー６３１を加圧する。温度検知部８３は、加熱ローラー６３１の周囲に設けられ、加熱ローラー６３１の温度を検知する。温度検知部８３のサンプリング周期は、例えば、１００ｍｓである。
【００６４】
定着部６３０は、加熱ローラー６３１の温度を検知する温度検知部８３の検知結果に応じて、加熱部６３３が加熱ローラー６３１を加熱する。定着部６３０は、加熱ローラー６３１と、加圧ローラー６３２とを互いに圧接させることにより、加熱ローラー６３１と加圧ローラー６３２との間に定着ニップを形成させる。
【００６５】
定着部６３０は、加圧ローラー６３２による加圧と、加熱ローラー６３１が有する熱との作用を通じて、転写されたトナー像を用紙Ｐに定着させる。定着部６３０により定着された用紙Ｐは、画像が印刷される。画像が印刷された用紙Ｐは、排紙ローラー３０４により機外へと排出され、例えば、画像読取装置７に搬送される。なお、画像が印刷された用紙Ｐは、画像読取装置７に搬送されずに、排紙トレイ３０５に積載されてもよい。
【００６６】
給紙部２０は、給紙カセット２００及び送り出しローラー２０１等を備えている。給紙カセット２００は、用紙Ｐを収容する。送り出しローラー２０１は、給紙カセット２００に収容された用紙Ｐを取り込み、搬送部３０に送り出す。
【００６７】
搬送部３０は、搬送経路３００が構成され、搬送経路３００に従い用紙Ｐを搬送する。搬送経路３００は、給紙ローラー３０２Ａ、搬送ローラー３０２Ｂ，３０２Ｃ，３０２Ｄ、及びレジストローラー３０３等を備えている。
【００６８】
搬送経路３００は、給紙部２０から給紙された用紙Ｐを画像形成部６０に搬送する。なお、用紙Ｐの裏面にも画像形成が行われる場合、用紙Ｐの表面に対する画像形成が行われた後、用紙Ｐは、分岐部３０６により、循環通紙路３０７Ａ、反転搬送路３０７Ｂ、及び再給紙搬送路３０７Ｃの順に搬送される。
【００６９】
画像形成装置５は、制御部４１を介して各種処理が実行される。例えば、画像読取部１２から出力される画像読取信号Ｓｏｕｔは、制御部４１を介して不図示の画像メモリ又は画像処理部４３に送信される。画像メモリは、例えば、ハードディスク等からなる。
【００７０】
制御部４１は、具体的には、不図示のＣＰＵ、ＲＯＭ、ＲＡＭ、及びＩ／Ｏインターフェースを主体として構成される。制御部４１は、ＣＰＵがＲＯＭ又は不図示の記憶部から処理内容に応じた各種プログラムを読み出し、ＲＡＭに展開し、展開した各種プログラムと協働することにより、画像形成装置５の各部の動作を制御する。
【００７１】
つまり、制御部４１は、画像形成装置５の動作を制御するものであり、不図示のＣＰＵ、ＲＯＭ、ＲＡＭ、及びＩ／Ｏインターフェースを主体に構成されたマイクロコンピュータにより実現し得るものである。制御部４１が所定の制御プログラムを実行することにより、各種機能が実現される。
【００７２】
図３は、本発明の実施形態１における画像読取装置７の構成例を示す図である。図４は、本発明の実施形態１における制御部５１により実現される画像形成システム１の機能構成例を示す図である。
【００７３】
画像読取装置７は、画像形成装置５の下流側に配置され、用紙Ｐの片面又は両面に印刷された画像を読み取る。具体的には、画像読取装置７は、画像形成装置５により用紙Ｐに形成されたパッチの色を読み取る。より具体的には、画像読取装置７は、用紙Ｐに印刷された画像の色、位置、及び倍率等の読取結果に基づいて画像の補正量を求め、求めた画像の補正量を画像形成装置５にフィードバックする。
【００７４】
画像読取装置７は、制御部５１、スキャナー７０１ａ、スキャナー７０１ｂ、測色計７０３、校正部７０５ａ〜７０５ｃ、搬送ローラー７３１、及び搬送経路７００を備える。搬送経路７００は、画像形成装置５から供給された用紙Ｐを通紙させる経路である。搬送経路７００は、搬送ローラー７３１の駆動により用紙Ｐが搬送される。
【００７５】
画像読取装置７は、放射温度計７０７を備える。放射温度計７０７は、スキャナー７０１ｂと、測色計７０３との間に設けられ、搬送経路７００を通過する用紙Ｐに形成されたパッチの温度を検知する。放射温度計７０７は、非接触で用紙Ｐの温度を検知する温度センサーである。放射温度計７０７は、例えば、サーモパイルセンサーにより実現される。
【００７６】
画像読取装置７は、例えば、画像形成装置５から供給された用紙Ｐを受け取ると、用紙Ｐに形成された画像をスキャナー７０１ａ、スキャナー７０１ｂ、及び測色計７０３に検出させる。画像の検出結果は、画像読取装置７の制御部５１に出力される。
【００７７】
スキャナー７０１ａ及びスキャナー７０１ｂは、搬送経路７００を通紙する用紙Ｐと対向してそれぞれ配置されている。スキャナー７０１ａ及びスキャナー７０１ｂは、用紙Ｐに印刷された画像を読み取る。
【００７８】
スキャナー７０１ａは、用紙Ｐの裏面を読み取る。スキャナー７０１ａによる読取結果は、例えば、用紙Ｐに印刷された画像の表裏のずれのチェック、又は想定外の画像の有無等のチェックに利用される。一方、スキャナー７０１ｂは、用紙Ｐの表面を読み取る。スキャナー７０１ｂは、用紙Ｐに印刷された画像、例えば、後述するパッチの読取動作を行う。具体的には、スキャナー７０１ｂは、用紙Ｐが搬送されるにつれ、用紙Ｐの搬送方向と直交する直交方向に沿って、用紙Ｐに形成されたパッチの色を読み取る。
【００７９】
なお、スキャナー７０１ａ及びスキャナー７０１ｂを総称する場合、スキャナー７０１と称する。また、校正部７０５ａ〜７０５ｃを総称する場合、校正部７０５と称する。
【００８０】
ところで、画像読取装置７は、インライン方式及びオフライン方式の何れかの方式で動作が実行される。インライン方式は、画像形成装置５から供給される画像形成された用紙Ｐを画像読取装置７に直接給紙するように構成される。一方、オフライン方式は、画像形成装置５から供給される画像形成された用紙Ｐを画像読取装置７に直接給紙するように構成されない。オフライン方式は、画像形成装置５と画像読取装置７とがそれぞれ独立して構成される。本実施形態においては、インライン方式を前提として以後の説明をするが、オフライン方式であってもよい。
【００８１】
測色計７０３は、スキャナー７０１の下流側のうち、用紙Ｐの搬送方向に沿って、搬送経路７００を通過する用紙Ｐと対向する位置に配置されている。測色計７０３は、例えば、用紙Ｐに形成された画像のうち、パッチを測色することにより、用紙Ｐに形成する画像の色の絶対値を保証する。
【００８２】
具体的には、測色計７０３は、不図示の可視光源からパッチに向けて可視光を照射する。測色計７０３は、校正部７０５ｃにより反射される可視光の反射光の分光スペクトルを取得する。測色計７０３は、取得された分光スペクトルから求められる分光データに基づき、三刺激値を求める。測色計７０３は、三刺激値に基づき、所定の色彩値を求める。色彩値は、具体的には、直交座標系又は円柱座標系で表現される。測色計７０３により求められた色彩値は、制御部５１又は制御部４１に出力される。
【００８３】
なお、測色計７０３の測色範囲、すなわち視野角は、スキャナー７０１の読取範囲よりも狭く、用紙幅方向に沿ったパッチの幅よりも狭く設定されている。具体的には、パッチの反射光を取得するレンズ部は、例えば約４ｍｍ程度である。
【００８４】
このように、測色計７０３は、一定の視野角の範囲に限定して測色を行うものであるため、スキャナー７０１よりも高い精度でパッチの色を再現することができる。
【００８５】
制御部５１は、測色計７０３により求められた色彩値に基づき、スキャナー７０１で読み取られたパッチの色の読取値を補正する。具体的には、制御部５１は、測色計７０３により求められたパッチの色彩値と、スキャナー７０１で読み取られたパッチの色の読取値とを、関連付ける。測色計７０３によるパッチの色彩値と、スキャナー７０１によるパッチの色の読取値とが関連付けられていれば、測色計７０３の測色結果を、スキャナー７０１の読取結果に反映させることができるため、パッチの正確な補正量が得られる。
【００８６】
なお、スキャナー７０１で読み取られたパッチの色の読取値は、例えば、ＲＧＢ表色系で表される値である。また、測色計７０３によるパッチの色彩値は、例えば、ＣＩＥＬＡＢ色空間で表される測色値Ｌ＊，ａ＊，ｂ＊である。よって、ＲＧＢ表色系で表される値と、ＣＩＥＬＡＢ色空間で表される測色値Ｌ＊，ａ＊，ｂ＊とが関連付けされる。
【００８７】
画像形成装置５が備える画像処理部４３は、制御部５１で演算された補正量に基づき、画像形成部６０に形成させる画像を最適化する。画像処理部４３が実行する画像の最適化処理は、用紙Ｐに印刷する画像の表裏位置調整、濃度調整、及び色味調整等が含まれる。
【００８８】
つまり、画像処理部４３は、画像読取装置７の用紙Ｐの読取結果に応じて、用紙Ｐに形成する画像の色、位置、又は倍率を補正する。具体的には、画像処理部４３は、補正されたパッチの色彩値に基づき、用紙Ｐに形成する画像を補正する。画像処理部４３は、補正結果に基づいて、画像を用紙Ｐに形成する指令を画像形成部６０に出す。
【００８９】
なお、校正部７０５ａは、スキャナー７０１ａと対向する位置に配置される。校正部７０５ｂは、スキャナー７０１ｂと対向する位置に配置される。校正部７０５ａ，７０５ｂは、画像の読み取り時に用紙Ｐに照射される照射光を反射する。
【００９０】
制御部５１は、画像読取装置７の動作を制御する。制御部５１は、不図示のＣＰＵ、ＲＯＭ、ＲＡＭ、及びＩ／Ｏインターフェースを主体に構成されたマイクロコンピュータにより実現し得る。制御部５１が所定の制御プログラムを実行することにより、図４に示すように、決定部１００１、生成部１００３、作成部１００５、温度補正部１００７、及び画像補正部１００９を含む各種機能が実現される。なお、制御部５１は、画像の検出結果に基づいて各種処理を実行し、実行結果を画像形成装置５の制御部４１に送信する。
【００９１】
決定部１００１は、用紙Ｐの予想温度分布と、パッチが受けるサーモクロミズム現象の影響度合いとに基づき、パッチの配置を決定する。用紙Ｐの予想温度分布は、用紙Ｐの温度分布に基づき、設定される。図５は、本発明の実施形態１における用紙Ｐの温度分布の一例を示す図である。定着部６３０により定着動作後、用紙Ｐの熱は、搬送ローラー７３１の外側と、画像読取装置７の前後方向とから放熱される。よって、用紙Ｐの温度分布は、用紙Ｐの搬送方向と直交する直交方向に沿って、用紙Ｐの中央部に近づくにつれ、温度が高くなり、用紙Ｐの端部に近づくにつれ、温度が低くなる。したがって、用紙Ｐの温度分布は、用紙Ｐの中央から離れるに従い温度が低くなる。
【００９２】
つまり、用紙Ｐの温度分布は、用紙Ｐの搬送方向と直交する直交方向に顕著に出る傾向にある。また、用紙Ｐの温度がある程度低下した場合、用紙Ｐの搬送方向には大きな温度勾配はない傾向にある。
【００９３】
また、低コストとするために、放射温度計７０７は、用紙Ｐの搬送方向と直交する直交方向の一部に設けられている。よって、放射温度計７０７が設けられた箇所の用紙Ｐの搬送方向の温度検知精度は高くなる。一方、放射温度計７０７から用紙Ｐの搬送方向と直交する直交方向に沿って離れるに従い、用紙Ｐの温度検知精度は悪化する。
【００９４】
つまり、放射温度計７０７から用紙Ｐの搬送方向と直交する直交方向に離れた箇所の温度と、放射温度計７０７により検知された温度とは、温度差が生じる。
【００９５】
また、スキャナー７０１により用紙Ｐに形成されたパッチを読み取る場合、用紙Ｐの搬送方向と直交する直交方向に沿って、不図示のラインセンサによりパッチの色を読み取る。よって、スキャナー７０１は、用紙Ｐの全範囲にわたり、用紙Ｐに形成されたパッチの色を読み取る。
【００９６】
しかし、上記で説明したように、用紙Ｐの温度分布は、用紙Ｐの中央から離れるに従い温度が低くなるものである。また、パッチが受けるサーモクロミズム現象の影響度合いは、パッチの温度が高くなるにつれ、大きくなるものである。よって、用紙Ｐの温度分布は均一ではないため、パッチが形成された箇所に応じて、パッチが受けるサーモクロミズム現象の影響度合いは異なる。したがって、少ない設置台数、具体的には１台の放射温度計７０７により用紙Ｐの温度の影響を補正する場合、パッチの配置は、用紙Ｐの予想温度分布と、パッチが受けるサーモクロミズム現象の影響度合いとに基づき決定されることが好ましい。用紙Ｐの予想温度分布は、パッチが形成された用紙Ｐが搬送される際に予想される用紙Ｐの温度分布であって、用紙Ｐの中央から離れるに従い温度が低くなるものである。
【００９７】
生成部１００３（パッチ形成指令部）は、決定部１００１により決定されたパッチの配置に基づき、パッチを形成する指令を生成する。よって、画像形成部６０を備える画像形成装置５は、生成部１００３により生成された指令に基づき、用紙Ｐにパッチを形成する。
【００９８】
作成部１００５は、測色計７０３によるパッチの色彩値と、スキャナー７０１によるパッチの色の読取値とを関連付ける。このような関連付けにより、作成部１００５は、スキャナー７０１によるパッチの色の読取値を、測色計７０３によるパッチの色彩値に変換するカラー変換のプロファイルを作成する。
【００９９】
温度補正部１００７は、生成部１００３の指令により形成されたパッチの温度変化に基づき、パッチの色彩値を補正する。温度補正部１００７は、放射温度計７０７により検知されたパッチの検知温度と、パッチの色差と、測色計７０３により求められたパッチの色彩値と、に基づき、パッチの色彩値を補正する。
【０１００】
図６は、本発明の実施形態１におけるパッチ列１０２１と放射温度計７０７との位置関係の一例を示す図である。図６に示すように、パッチ列１０２１＿１〜１０２１＿５のそれぞれは、画像形成装置５により、用紙Ｐの搬送方向に沿って、用紙Ｐの予想温度分布に基づく複数のパッチが含まれる。
【０１０１】
なお、パッチ列１０２１＿１〜１０２１＿５の何れかを特に限定しない場合、パッチ列１０２１と称する。
【０１０２】
パッチ列１０２１は、用紙Ｐの搬送方向と直交する直交方向に沿って隣り合うものである。パッチ列１０２１のうち、パッチ列１０２１＿５は、サーモクロミズム現象の影響度合いが最も大きいパッチから構成される。例えば、パッチ列１０２１＿５は、マゼンタ系の色のパッチからなる。パッチ列１０２１のうち、パッチ列１０２１＿４は、サーモクロミズム現象の影響度合いが大きいパッチから構成される。例えば、パッチ列１０２１＿４は、マゼンタ系の色を含むパッチから構成される。パッチ列１０２１のうち、パッチ列１０２１＿１は、サーモクロミズム現象の影響度合いが小さいパッチから構成される。例えば、パッチ列１０２１＿１は、グリーン系の色のパッチからなる。
【０１０３】
つまり、パッチ列１０２１は、パッチ列１０２１＿５、パッチ列１０２１＿４、パッチ列１０２１＿３、パッチ列１０２１＿２、及びパッチ列１０２１＿１の順にサーモクロミズム現象の影響度合いが段階的に小さくなるように配置されている。つまり、画像形成装置５は、放射温度計７０７の下方を通過するパッチ列１０２１に近いものであるにつれ、サーモクロミズム現象の影響度合いが大きくなるパッチを含んだパッチ列１０２１を形成する。
【０１０４】
図６において、放射温度計７０７は、パッチ列１０２１＿５が通過する範囲の上方に設置されている。ここで、用紙Ｐの搬送方向と直交する直交方向に沿って、用紙Ｐの中央と、用紙Ｐの端部との温度差が、例えば、４℃であり、放射温度計７０７の温度測定誤差が−１℃であると想定する。
【０１０５】
このような想定の場合、放射温度計７０７による検知温度は、パッチ列１０２１＿５においては−１℃の補正をした値となる。また、放射温度計７０７による検知温度は、パッチ列１０２１＿４においては−２℃の補正をした値となる。放射温度計７０７による検知温度は、パッチ列１０２１＿３においては−３℃の補正をした値となる。放射温度計７０７による検知温度は、パッチ列１０２１＿２においては−４℃の補正をした値となる。放射温度計７０７による検知温度は、パッチ列１０２１＿１においては−５℃の補正をした値となる。
【０１０６】
さらに、パッチ列１０２１のそれぞれにおいて、１０℃温度が変わるごとの色差を想定する。具体的には、パッチ列１０２１＿５の色差をΔＥ１．０とし、パッチ列１０２１＿４の色差をΔＥ０．８とし、パッチ列１０２１＿３の色差をΔＥ０．６とし、パッチ列１０２１＿２の色差をΔＥ０．４とし、パッチ列１０２１＿１の色差をΔＥ０．２と想定する。
【０１０７】
上記想定を前提として、放射温度計７０７により検知されたパッチの検知温度と、パッチの色差と、測色計７０３により求められたパッチの色彩値とに基づくパッチの色彩値の補正処理を検討する。なお、パッチの色差は、ＣＩＥＬＡＢ色空間において、１０℃温度が変化したときの色彩値の差異とする。
【０１０８】
パッチ列１０２１＿５においては、ΔＥ１．０／１０℃に１℃を掛け、ΔＥ０．１０が演算される。パッチ列１０２１＿４においては、ΔＥ０．８／１０℃に２℃を掛け、ΔＥ０．１６が演算される。パッチ列１０２１＿３においては、ΔＥ０．６／１０℃に３℃を掛け、ΔＥ０．１８が演算される。パッチ列１０２１＿２においては、ΔＥ０．４／１０℃に４℃を掛け、ΔＥ０．１６が演算される。パッチ列１０２１＿１においては、ΔＥ０．２／１０℃に５℃を掛け、ΔＥ０．１０が演算される。つまり、次式（１）〜（５）のように演算が実施される。
【０１０９】
【数１】
0006769056.tif 000002
【０１１０】
【数２】
0006769056.tif 000003
【０１１１】
【数３】
0006769056.tif 000004
【０１１２】
【数４】
0006769056.tif 000005
【０１１３】
【数５】
0006769056.tif 000006
【０１１４】
仮に、用紙Ｐの搬送方向と直交する直交方向に沿って、パッチ列１０２１＿５が用紙Ｐの端部に配列された場合、パッチ列１０２１＿５においては、ΔＥ１．０／１０℃に５℃を掛け、ΔＥ０．５０が演算される。
【０１１５】
つまり、用紙Ｐの中央を通過する範囲の上方に放射温度計７０７が配置されているため、用紙Ｐの中央の温度測定精度はよいが、用紙Ｐの中央から離れるに従い温度測定精度は低下する。そこで、上記で説明したように、用紙Ｐの中央から離れるに従いサーモクロミズム現象の影響度合いの小さい色のパッチを含むパッチ列１０２１を配置させれば、用紙Ｐの搬送方向と直交する直交方向に沿った全域において、色差を抑制することができるため、放射温度計７０７に基づくパッチの色彩値の補正を精度よく行うことができる。
【０１１６】
換言すれば、用紙Ｐの予測温度分布と、パッチが受けるサーモクロミズム現象の影響度合いと、に基づき、パッチの配置が決定されることにより、全体としてパッチの色差を抑制させるパッチの配置構成を形成させることができるため、用紙全体にわたり、低コストで精度よくパッチの色彩値を補正することができる。
【０１１７】
図７は、本発明の実施形態１における制御例を説明するフローチャートである。以下の説明においては、調整モードのときにパッチの色彩値の補正結果に基づくパッチの色の補正処理が実行される場合を想定するが、調整モードでなくてもよい。要するに、用紙Ｐが搬送経路７００を通過時に、用紙Ｐに形成された画像が補正されればよい。
【０１１８】
ステップＳ１１において、調整モードに遷移されたか否かが判定される。調整モードに遷移された場合、ステップＳ１２に進む。一方、調整モードに遷移されない場合、そのまま待機する。ステップＳ１２において、用紙Ｐの予想温度分布と、パッチが受けるサーモクロミズム現象の影響度合いと、に基づき、パッチの配置が決定される。ステップＳ１３において、決定されたパッチの配置に基づき、パッチを形成する指令が生成される。ステップＳ１４において、パッチを形成する指令により複数のパッチが含まれるパッチ列１０２１が複数形成される。
【０１１９】
ステップＳ１５において、パッチの色が読み取られる。ステップＳ１６において、パッチの温度が検知される。ステップＳ１７において、パッチが測色される。ステップＳ１８において、パッチの測色結果からパッチの色彩値が求められる。ステップＳ１９において、パッチの色の読取値とパッチの色彩値とが関連付けられる。
【０１２０】
ステップＳ２０において、パッチの検知温度と、パッチの色差と、パッチの色彩値と、に基づき、パッチの色彩値が補正される。ステップＳ２１において、補正されたパッチの色彩値に基づき、パッチを形成する色を補正する指令が生成される。例えば、補正されたパッチの色彩値に関連付けられているパッチの色の読取値が参照され、用紙Ｐに形成されたそれぞれのパッチを形成する色を補正する指令が生成される。ステップＳ２２において、パッチを形成する色を補正する指令によりパッチが形成される。例えば、用紙Ｐが搬送経路７００を通過時にパッチの色彩値が補正され、その補正結果に基づき、画像形成装置５は、パッチを形成する色を補正し、補正後のパッチに基づき、パッチを形成する。
【０１２１】
以上の説明から、用紙Ｐの予測温度分布と、パッチが受けるサーモクロミズム現象の影響度合いと、に基づき、パッチの配置が決定される。よって、用紙Ｐの予想温度分布と、パッチが受けるサーモクロミズム現象の影響度合いとが関連付けされた上で、パッチの配置が決定される。したがって、サーモクロミズム現象の影響が大きいパッチと、サーモクロミズム現象の影響が小さいパッチとのそれぞれを、温度分布に合わせて配置させることができる。これにより、全体としてパッチの色差を抑制させるように、パッチを用紙Ｐに形成することができる。このようなパッチの配置構成であれば、用紙全体にわたり、低コストで精度よくパッチの色彩値を補正することができる。
【０１２２】
また、パッチの検知温度と、パッチの色差と、パッチを測色して求めたパッチの色彩値とに基づき、パッチの色彩値が補正される。よって、パッチの検知温度と、パッチの色差と、パッチの色彩値とを関連付けることができるため、それぞれのパッチの温度変化分の色差を考慮してパッチの色彩値を補正することができる。したがって、直交方向全域にわたり、パッチの色差を抑制させることができる。
【０１２３】
パッチ列１０２１のそれぞれは、用紙Ｐの搬送方向に直交する直交方向に沿って隣り合うものであり、用紙Ｐの搬送方向に沿って用紙Ｐの予想温度分布に基づく複数のパッチが含まれる。よって、同一指標に基づき各パッチ列１０２１に含まれるパッチを含ませることができるため、同一のパッチ列１０２１には同一のサーモクロミズム現象の影響を受けるパッチが含まれる。したがって、パッチ列１０２１ごとに同一の傾向のパッチが集まっているため、パッチ列１０２１ごとにパッチの色彩値の補正処理をすることができる。
【０１２４】
放射温度計７０７の下方を通過するパッチ列１０２１に近いものであればあるほど、サーモクロミズム現象の影響が大きいものとなる。よって、最もサーモクロミズム現象の影響を受ける色彩のパッチを含むパッチ列１０２１の温度を正確に検知することができる。したがって、最も温度による色差の影響が大きいパッチの色彩値の補正精度を上げることができるため、全体として色差を抑えることができる。
【０１２５】
実施形態２．
実施形態２において、実施形態１と同一の構成については同一の符号を付記し、その説明については省略する。実施形態１においては、１つのパッチ列１０２１には、サーモクロミズム現象の影響度合いが同一であるパッチが含まれているが、実施形態２においては、１つのパッチ列１０２１には、サーモクロミズム現象の影響度合いが同一であるパッチと、サーモクロミズム現象の影響度合いが同一でないパッチとが含まれている。
【０１２６】
図８は、本発明の実施形態２におけるパッチ列１０２１に含まれるパッチの色差の一例を示す図である。図８においては、パッチ列１０２１のうち、パッチ列１０２１＿５と、パッチ列１０２１＿５に隣り合うパッチ列１０２１＿４とが示されている。実施形態１と同様に、パッチ列１０２１＿５が搬送方向に沿って搬送される範囲の上方には、放射温度計７０７が設けられている。
【０１２７】
上記で説明したように、パッチ列１０２１＿５は、放射温度計７０７の下方を通過する。パッチ列１０２１＿５は、サーモクロミズム現象の影響度合いが大きくなるパッチが多く含まれている。図８における色差は、１０℃ごとの色差を示す。
【０１２８】
パッチ列１０２１＿５に含まれるパッチのうち、１番目から３番目及び５番目のパッチは、色差が０．９以上であり、サーモクロミズム現象の影響度合いが大きい。パッチ列１０２１＿５に含まれるパッチのうち、４番目のパッチは、色差が０．１５であり、サーモクロミズム現象の影響度合いが小さい。色差が０．９以上のパッチは、例えば、マゼンタ系の色となる。色差が０．１５のパッチは、例えば、グリーン系の色となる。
【０１２９】
一方、パッチ列１０２１＿４に含まれるパッチにおいて、１番目から５番目のそれぞれのパッチは、色差が０．８前後である。パッチ列１０２１＿５に含まれるパッチと、パッチ列１０２１＿４に含まれるパッチとを比較すると、パッチ列１０２１＿５の方が、サーモクロミズム現象の影響度合いが大きいパッチを多く含む。よって、パッチ列１０２１＿４よりもパッチ列１０２１＿５の方が、用紙Ｐの温度による影響を受けやすい。なお、図８において、６番目以降のパッチの色差については図示を省略する。
【０１３０】
以上の説明から、本実施形態に係る画像形成システム１によれば、放射温度計７０７の下方を通過するパッチ列１０２１に近いものであればあるほど、サーモクロミズム現象の影響が大きくなるパッチが多く含まれるものとなる。よって、パッチ列１０２１は、サーモクロミズム現象の影響度合いが同一のパッチから構成されていなかったとしても、全体として、サーモクロミズム現象の影響度合いが大きいパッチを多く含むものであれば、パッチ列１０２１は、用紙Ｐの温度による影響が同一のパッチから構成されているとみなせる。したがって、パッチ列１０２１ごとに、サーモクロミズム現象の影響を受けるパッチの温度を正確に検知することができ、全体として色差を抑えることができる。
【０１３１】
実施形態３．
実施形態３において、実施形態１，２と同一の構成については同一の符号を付記し、その説明については省略する。実施形態３においては、実施形態１，２とは放射温度計７０７の配置位置が異なり、それに伴いパッチ列１０２１の配置構成も異なる。
【０１３２】
図９は、本発明の実施形態３におけるパッチ列１０２１と放射温度計７０７との位置関係の一例を示す図である。図９に示すように、放射温度計７０７の下方を通過するパッチ列１０２１＿３を中心として、用紙Ｐの搬送方向と直交する直交方向に沿って、同一のサーモクロミズム現象の影響度合いとなるパッチを含むパッチ列１０２１を対称に配置させている。
【０１３３】
具体的には、図９において、放射温度計７０７は、２つのパッチ列１０２１＿３のうち、一方のパッチ列１０２１＿３が通過する範囲の上方に設置されている。放射温度計７０７の温度測定誤差が−１℃であると想定する。
【０１３４】
このような想定の場合、放射温度計７０７による検知温度は、パッチ列１０２１＿３においては−１℃の補正をした値となる。また、放射温度計７０７による検知温度は、パッチ列１０２１＿２においては−２℃の補正をした値となる。放射温度計７０７による検知温度は、パッチ列１０２１＿１においては−３℃の補正をした値となる。
【０１３５】
さらに、パッチ列１０２１のそれぞれにおいて、１０℃温度が変わるごとの色差を想定する。具体的には、パッチ列１０２１＿３の色差をΔＥ１．０又はΔＥ０．８とし、パッチ列１０２１＿２の色差をΔＥ０．６又はΔＥ０．４とし、パッチ列１０２１＿１の色差をΔＥ０．２以下と想定する。
【０１３６】
上記想定を前提として、放射温度計７０７により検知されたパッチの検知温度と、パッチの色差と、測色計７０３により求められたパッチの色彩値とに基づくパッチの色彩値の補正処理を検討する。なお、パッチの色差は、ＣＩＥＬＡＢ色空間において、１０℃温度が変化したときの色彩値の差異とする。
【０１３７】
パッチ列１０２１＿３のうち、一方のパッチ列１０２１＿３においては、ΔＥ１．０／１０℃に１℃を掛け、ΔＥ０．１０が演算される。パッチ列１０２１＿３のうち、他方のパッチ列１０２１＿３においては、ΔＥ０．８／１０℃に１℃を掛け、ΔＥ０．０８が演算される。パッチ列１０２１＿２のうち、一方のパッチ列１０２１＿２においては、ΔＥ０．６／１０℃に２℃を掛け、ΔＥ０．１２が演算される。パッチ列１０２１＿２のうち、他方のパッチ列１０２１＿２においては、ΔＥ０．４／１０℃に２℃を掛け、ΔＥ０．０８が演算される。パッチ列１０２１＿１においては、ΔＥ０．２／１０℃に３℃を掛け、ΔＥ０．０６が演算される。つまり、次式（６）〜（１０）のように演算が実施される。
【０１３８】
【数６】
0006769056.tif 000007
【０１３９】
【数７】
0006769056.tif 000008
【０１４０】
【数８】
0006769056.tif 000009
【０１４１】
【数９】
0006769056.tif 000010
【０１４２】
【数１０】
0006769056.tif 000011
【０１４３】
仮に、用紙Ｐの搬送方向と直交する直交方向に沿って、パッチ列１０２１＿３が用紙Ｐの端部に配列された場合、パッチ列１０２１＿３においては、ΔＥ１．０／１０℃に３℃を掛け、ΔＥ０．３０が演算される。
【０１４４】
つまり、放射温度計７０７の下方を通過するパッチ列１０２１の温度測定精度はよいが、放射温度計７０７の下方を通過しないパッチ列１０２１の温度測定精度は低下する。そこで、上記で説明したように、放射温度計７０７の下方を通過するパッチ列１０２１を中心として、用紙Ｐの搬送方向と直交する直交方向に沿って、同一のサーモクロミズム現象の影響度合いとなるパッチを含むパッチ列１０２１を対称に配置させる。このような構成により、用紙Ｐの搬送方向と直交する直交方向に沿った全域において、色差を抑制することができる。したがって、放射温度計７０７から離れた位置にあるパッチ列１０２１であっても、パッチの色彩値を精度よく補正することができ、全体として色差を抑えることができる。
【０１４５】
実施形態４．
実施形態４において、実施形態１〜３と同一の構成については同一の符号を付記し、その説明については省略する。実施形態４は、実施形態１〜３と異なり、搬送経路７００に入替部７３３が設けられている。
【０１４６】
図１０は、本発明の実施形態４における画像形成システム１の全体構成の一例を示す図である。入替部７３３は、スキャナー７０１ａの上流側に設けられている。入替部７３３は、用紙Ｐが搬送される際、用紙Ｐの先頭側と、用紙Ｐの後端側とを入れ替え自在なスイッチバック機構である。
【０１４７】
定着部６３０により定着処理がされた用紙Ｐが入替部７３３を通過する場合、用紙Ｐの先頭側と後端側とが入れ替えられるため、定着部６３０により最初に用紙Ｐに定着処理されたパッチは、最後に測色される。よって、定着処理から測色処理に至るまでの時間を稼ぐことができ、入替部７３３により最後に測色されることとなるパッチの温度を下げることができる。
【０１４８】
図１１は、本発明の実施形態４におけるパッチ列１０２１に含まれるパッチの色差の一例を示す図である。図１１の場合、１番目から用紙Ｐの後端側に近づくにつれ、色差が小さくなるパッチが配置されている。この場合において、入替部７３３により用紙Ｐの先頭側と、用紙Ｐの後端側とが入れ替えられれば、サーモクロミズム現象の影響が最も大きいパッチが測色されるまでの時間を稼ぐことができる。
【０１４９】
以上の説明から、本実施形態に係る画像形成システム１によれば、入替部７３３により、前記用紙の先頭側と、前記用紙の後端側とが入れ替え自在である。よって、用紙Ｐの先頭側と、用紙Ｐの後端側とを入れ替えることができる。したがって、パッチ列１０２１に含まれるパッチの配置構成において、画像形成装置５から搬送される用紙Ｐの先頭側に近いものであるにつれ、サーモクロミズム現象の影響度合いが大きくなるパッチを含ませることにより、入替部７３３により用紙Ｐの先頭側と後端側とが入れ替えられた用紙Ｐは、サーモクロミズム現象の影響が大きいパッチであるにつれ、測色されるまでの時間を稼ぐことができる。よって、サーモクロミズム現象の影響が大きいパッチが測色されるまでの時間を稼ぐことができるため、サーモクロミズム現象の影響が大きいパッチが測色されるときの温度を下げることができる。
【０１５０】
したがって、全体として、サーモクロミズム現象の影響度合いを下げることができ、特に顕著に、パッチの色彩値を精度よく補正することができる。
【０１５１】
なお、スイッチバックの回数を増加させれば、さらに測色までの時間を稼ぐことができる。また、用紙Ｐが搬送される搬送速度を通常速度よりも遅い速度とすれば、さらに測色までの時間を稼ぐことができる。
【０１５２】
実施形態５．
実施形態５において、実施形態１〜４と同一の構成については同一の符号を付記し、その説明については省略する。実施形態５は、実施形態１〜４と異なり、パッチの検知温度ではなくパッチの予測温度を用いる。
【０１５３】
図１２は、本発明の実施形態５におけ制御部５１により実現される画像形成システム１の機能構成例を示す図である。図１２に示すように、予測温度補正部１０１１をさらに備える。予測温度補正部１０１１は、パッチの予測温度と、パッチの色差と、測色計７０３により求められたパッチの色彩値と、に基づき、パッチの色彩値を補正する。パッチの予測温度は、用紙Ｐの紙種に基づき、パッチ列１０２１ごとに予測される。
【０１５４】
このように、パッチの予測温度は、用紙Ｐの紙種に基づき予測される。用紙Ｐの紙種が異なれば、搬送ローラー７３１からの熱伝導率も異なる。つまり、用紙Ｐの紙種と、搬送ローラー７３１からの熱伝導率とは相関関係が成立する。よって、用紙Ｐの紙種が考慮されることにより、搬送ローラー７３１からの熱伝導率も考慮されることとなり、用紙Ｐの予想温度分布は、より正確なものとなる。
【０１５５】
以上の説明から、本実施形態に係る画像形成システム１によれば、パッチの予測温度と、パッチの色差と、測色計７０３により求められたパッチの色彩値と、に基づき、パッチの色彩値を補正する際、用紙Ｐの紙種に基づき、パッチ列１０２１ごとにパッチの予測温度を予測することにより、用紙Ｐの紙種と、パッチの予測温度とを関連付けてパッチの色彩値が補正される。
【０１５６】
例えば、上記で説明した図６のパッチ列１０２１の配置構成である場合、パッチ列１０２１＿３においては−３℃の補正した値となる。一方、パッチの予測温度が−２℃の補正した値となる場合、ΔＥ０．６／１０℃に２℃を掛け、ΔＥ０．１２が演算される。つまり、次式（１１）のように演算が実施される。
【０１５７】
【数１１】
0006769056.tif 000012
【０１５８】
この結果、実施形態１におけるパッチ列１０２１＿３に含まれるパッチの検知温度に基づく色差がΔＥ０．１８であるため、さらに色差を抑えることができる。よって、予測誤差があったとしても、全体として、色差をさらに改善することができる。
【０１５９】
以上、本発明に係る画像形成装置５及び画像読取装置７を実施形態に基づいて説明したが、本発明はこれに限定されるものではなく、本発明の趣旨を逸脱しない範囲で、変更を加えてもよい。
【０１６０】
例えば、本実施形態においては、画像読取装置７の制御部５１により、各種機能構成が実現される一例について説明したが、これに限らない。例えば、画像形成装置５の制御部４１により、各種機能構成が実現されてもよい。また、例えば、画像読取装置７の制御部５１及び画像形成装置５の制御部４１の両方により、各種機能構成が実現されてもよい。
【０１６１】
また、画像読取信号Ｓｏｕｔが、Ｒ色、Ｇ色、及びＢ色成分を含むデジタルの画像データ（ＲＧＢコード）としてＲＧＢ表色系で定まる一例について説明したが、これに限らず、Ｌ＊ａ＊ｂ＊表色系等のような異なる表色系で定まるものであってもよい。
【符号の説明】
【０１６２】
１          画像形成システム
３          給紙装置
５          画像形成装置
７          画像読取装置
８          排紙装置
９          排紙トレイ
１１        画像形成装置本体
１２        画像読取部
１２１      第１のプラテンガラス
１２２      第２のプラテンガラス
１２３      光源
１２４〜１２６  ミラー
１２７      結像光学部
１２８      イメージセンサー
１４        自動原稿送り装置
１４１      原稿載置部
１４２ａ，１４２ｂ，１４３，１４４  ローラー
１４５      反転部
１４６      排紙皿
２０        給紙部
２００      給紙カセット
２０１      送り出しローラー
３０        搬送部
３００      搬送経路
３０２Ａ    給紙ローラー
３０２Ｂ，３０２Ｃ，３０２Ｄ  搬送ローラー
３０３      レジストローラー
３０４      排紙ローラー
３０５      排紙トレイ
３０６      分岐部
３０７Ａ    循環通紙路
３０７Ｂ    反転搬送路
３０７Ｃ    再給紙搬送路
４１        制御部
４３        画像処理部
５１        制御部
６０        画像形成部
６０１，６０１Ｙ，６０１Ｍ，６０１Ｃ，６０１Ｋ  画像形成ユニット
６１１，６１１Ｙ，６１１Ｍ，６１１Ｃ，６１１Ｋ  ＬＥＤ書き込みユニット
６１２，６１２Ｙ，６１２Ｍ，６１２Ｃ，６１２Ｋ  現像部
６１３，６１３Ｙ，６１３Ｍ，６１３Ｃ，６１３Ｋ  感光ドラム
６１４，６１４Ｙ，６１４Ｍ，６１４Ｃ，６１４Ｋ  帯電部
６１６，６１６Ｙ，６１６Ｍ，６１６Ｃ，６１６Ｋ  クリーニング部
６２０      中間転写部
６２１      中間転写ベルト
６２２，６２２Ｙ，６２２Ｍ，６２２Ｃ，６２２Ｋ  一次転写ローラー
６２３      二次転写ローラー
６２４      ベルトクリーニング装置
６３０      定着部
６３１      加熱ローラー
６３２      加圧ローラー
６３３      加熱部
８１        位置決め検知部
８３        温度検知部
７００      搬送経路
７０１、７０１ａ、７０１ｂ      スキャナー
７０３      測色計
７０５，７０５ａ〜７０５ｃ      校正部
７０７      放射温度計
７３１      搬送ローラー
７３３      入替部
１００１    決定部
１００３    生成部
１００５    作成部
１００７    温度補正部
１００９    画像補正部
１０１１    予測温度補正部
１０２１、１０２１＿１〜１０２１＿５  パッチ列
Ｐ          用紙
【図１】
0006769056.tif 000013
【図２】
0006769056.tif 000014
【図３】
0006769056.tif 000015
【図４】
0006769056.tif 000016
【図５】
0006769056.tif 000017
【図６】
0006769056.tif 000018
【図７】
0006769056.tif 000019
【図８】
0006769056.tif 000020
【図９】
0006769056.tif 000021
【図１０】
0006769056.tif 000022
【図１１】
0006769056.tif 000023
【図１２】
0006769056.tif 000024